(57)【要約】【課題】複数のコネクタ分割体から構成される第２コネクタを第１コネクタに接続する際の手間を軽減することができ、またワイヤハーネスのコネクタ部のコンパクト化を図ることができるレバー嵌合式コネクタを提供すること。【解決手段】第１コネクタ１３に装備された嵌合操作レバー１５の回動操作によって第１コネクタ１３に嵌合接続される第２コネクタ１４を、メインコネクタ分割体３１とサブコネクタ分割体３２との合体構造とし、且つ、メインコネクタ分割体３１は、初期嵌合位置に装着したときに嵌合操作レバー１５に係合するレバー係合部３４を有して、嵌合操作レバー１５の回動操作によって初期嵌合位置から完全嵌合位置に移動する構成とする。【選択図】図１
2012003926.tif 000002
【特許請求の範囲】
【請求項１】
第１コネクタと、
複数のコネクタ分割体の合体・分離により収容端子数を調整可能で前記第１コネクタに嵌合接続される第２コネクタと、
前記第１コネクタに回動可能に装備され、前記第２コネクタが第１コネクタの初期嵌合位置に装着されている状態で所定方向に所定角度回動させると、前記第２コネクタを前記初期嵌合位置から完全嵌合位置に移動させる嵌合操作レバーと、
を備え、
前記第２コネクタが、
前記初期嵌合位置に装着したときに前記嵌合操作レバーに係合するレバー係合部を有して前記嵌合操作レバーの回動操作によって前記初期嵌合位置から前記完全嵌合位置に移動するメインコネクタ分割体と、
前記メインコネクタ分割体に合体されて前記メインコネクタ分割体と一緒に前記初期嵌合位置から前記完全嵌合位置に移動するサブコネクタ分割体と、
を備えることを特徴とするレバー嵌合式コネクタ。
【請求項２】
前記第１コネクタに回動可能に装着された前記嵌合操作レバーを、前記初期嵌合位置に装着される前記メインコネクタ分割体上の前記レバー係合部と係合可能な初期位置に仮固定するレバー係止アームと、
前記メインコネクタ分割体に一体形成され、前記メインコネクタ分割体が前記初期嵌合位置に装着されたときに、前記レバー係止アームによる前記嵌合操作レバーの仮固定を解除して、前記嵌合操作レバーを前記所定方向に回動可能にする係止解除リブと、
を備えたことを特徴とする請求項１に記載のレバー嵌合式コネクタ。
【請求項３】
前記レバー係止アームは、前記嵌合操作レバーを前記初期位置に仮固定している状態と前記仮固定状態が解除された状態とを目視判別可能に、装備されていることを特徴とする請求項２に記載のレバー嵌合式コネクタ。
【発明の詳細な説明】
【技術分野】
【０００１】
本発明は、レバー嵌合式コネクタに関し、特に、一方のコネクタが複数のコネクタ分割体から構成されるレバー嵌合式コネクタの改良に係る。
【背景技術】
【０００２】
図１９は、レバー嵌合式コネクタの従来例を示したものである。
ここに示したレバー嵌合式コネクタ１０は、下記特許文献１に記載されたもので、第１コネクタ１と、複数のコネクタ分割体２ａ，２ｂ，２ｃから構成されて第１コネクタ１に嵌合接続される第２コネクタ２と、第１コネクタ１に回動可能に装備された嵌合操作レバー３と、を備えている。
【０００３】
第１コネクタ１は、各コネクタ分割体２ａ，２ｂ，２ｃに対応した複数の分割体収容部１ａ，１ｂ．１ｃを備えている。
【０００４】
各コネクタ分割体２ａ，２ｂ，２ｃは、互いに独立したコネクタで、第１コネクタ１の初期嵌合位置に装着された状態で嵌合操作レバー３に係合可能なレバー係合部４ａ，４ｂ，４ｃが、両側に突設されている。
【０００５】
嵌合操作レバー３は、第１コネクタ１の初期嵌合位置に装着された各コネクタ分割体２ａ，２ｂ，２ｃのレバー係合部４ａ，４ｂ，４ｃが嵌合するコネクタ引き込み溝５ａ，５ｂ，５ｃを備えている。この嵌合操作レバー３は、第２コネクタ２が第１コネクタ１の初期嵌合位置に装着されている状態で所定方向（図１９の矢印Ａ方向）に所定角度回動させると、嵌合操作レバー３の回動に伴い、各レバー係合部４ａ，４ｂ，４ｃがコネクタ引き込み溝５ａ，５ｂ，５ｃ内を摺動して、各コネクタ分割体２ａ，２ｂ，２ｃを初期嵌合位置から完全嵌合位置に移動させる。
【０００６】
また、図示はしていないが、下記特許文献２や特許文献３には、嵌合操作レバーが装備される第１コネクタが、複数のコネクタ分割体から構成され、更に、これらのコネクタ分割体相互が合体して単一のコネクタとして取り扱い可能としたレバー嵌合式コネクタが開示されている。なお、特許文献２や特許文献３のレバー嵌合式コネクタの場合は、第１コネクタに接続される第２コネクタは、一体構造になっている。
【０００７】
以上に挙げた特許文献１〜３に記載のレバー嵌合式コネクタでは、複数のコネクタ分割体で構成されるコネクタにおいて、実際に使用するコネクタ分割体を選択（不要なコネクタ分割体は、使わない）することで、収容端子数を調整することができる。
【先行技術文献】
【特許文献】
【０００８】
【特許文献１】特開平１０−２４１７８６号公報
【特許文献２】特開２０００−２２８２４７号公報
【特許文献３】特開２００５−１６６２７８号公報
【発明の概要】
【発明が解決しようとする課題】
【０００９】
ところが、上記のレバー嵌合式コネクタ１０の場合は、第２コネクタ２を構成している複数のコネクタ分割体２ａ，２ｂ，２ｃは、合体させることができず、それぞれ個別に第１コネクタ１に嵌合装着しなければならない。
【００１０】
そのため、複数のコネクタ分割体２ａ，２ｂ，２ｃを第１コネクタ１に嵌合装着する場合には、手間がかかるという問題があった。
【００１１】
また、特許文献２や特許文献３に記載のレバー嵌合式コネクタの場合は、複数のコネクタ分割体から構成されるコネクタは、嵌合操作レバーが装備される第１コネクタである。従って、収容端子数が少数で良いために一部のコネクタ分割体を切り離した場合でも、嵌合操作レバーが残っているため、第１コネクタの外形はそれほど変化（縮減）しない。
【００１２】
従って、複数のコネクタ分割体から構成される第１コネクタをワイヤハーネスに装備するようにしても、ワイヤハーネスのコネクタ部のコンパクト化を図れないという問題があった。
【００１３】
更に上記特許文献１〜３では、一方のコネクタを相手コネクタの初期嵌合位置に装着する前に嵌合操作レバーが不用意に回動することを防止する技術、及び、一方のコネクタが相手コネクタの初期嵌合位置に装着されたことを作業者が簡単に検知できるようにする技術等に関しては、何ら開示も示唆もされていない。
【００１４】
そのため、嵌合操作レバーが不用意に回動によって、コネクタ相互の嵌合接続作業を円滑に進行させることができなくなったり、あるいは、一方のコネクタが相手コネクタの初期嵌合位置に到着する前に作業者が嵌合操作レバーを誤操作するといった不具合が発生するおそれがあった。
【００１５】
そこで、本発明の目的は、上記課題を解消することに係り、複数のコネクタ分割体から構成される第２コネクタを第１コネクタに接続する際の手間を軽減することができ、また、第２コネクタをワイヤハーネスに装備することで、ワイヤハーネスのコネクタ部のコンパクト化を図ることができるレバー嵌合式コネクタを提供することにある。
【課題を解決するための手段】
【００１６】
本発明の前述した目的は、下記の構成により達成される。
（１）第１コネクタと、複数のコネクタ分割体の合体・分離により収容端子数を調整可能で前記第１コネクタに嵌合接続される第２コネクタと、前記第１コネクタに回動可能に装備され、前記第２コネクタが第１コネクタの初期嵌合位置に装着されている状態で所定方向に所定角度回動させると、前記第２コネクタを前記初期嵌合位置から完全嵌合位置に移動させる嵌合操作レバーと、を備え、
前記第２コネクタが、前記初期嵌合位置に装着したときに前記嵌合操作レバーに係合するレバー係合部を有して前記嵌合操作レバーの回動操作によって前記初期嵌合位置から前記完全嵌合位置に移動するメインコネクタ分割体と、前記メインコネクタ分割体に合体されて前記メインコネクタ分割体と一緒に前記初期嵌合位置から前記完全嵌合位置に移動するサブコネクタ分割体と、を備えることを特徴とするレバー嵌合式コネクタ。
【００１７】
（２）前記第１コネクタに回動可能に装着された前記嵌合操作レバーを、前記初期嵌合位置に装着される前記メインコネクタ分割体上の前記レバー係合部と係合可能な初期位置に仮固定するレバー係止アームと、前記メインコネクタ分割体に一体形成され、前記メインコネクタ分割体が前記初期嵌合位置に装着されたときに、前記レバー係止アームによる前記嵌合操作レバーの仮固定を解除して、前記嵌合操作レバーを前記所定方向に回動可能にする係止解除リブと、を備えたことを特徴とする上記（１）に記載のレバー嵌合式コネクタ。
【００１８】
（３）前記レバー係止アームは、前記嵌合操作レバーを前記初期位置に仮固定している状態と前記仮固定状態が解除された状態とを目視判別可能に、装備されていることを特徴とする上記（２）に記載のレバー嵌合式コネクタ。
【００１９】
上記（１）の構成によれば、第２コネクタを構成するメインコネクタ分割体とサブコネクタ分割体は合体させて、単一のコネクタとして第１コネクタに装着することができる。
そのため、個々のコネクタ分割体を個別に第１コネクタに装着するような面倒な操作が不要である。従って、複数のコネクタ分割体から構成される第２コネクタを第１コネクタに接続する際の手間を軽減することができる。
【００２０】
また、第２コネクタをワイヤハーネスに装備するようにした場合、ワイヤハーネスの芯線数が少ない場合には、例えば、第２コネクタ上の不要なサブコネクタ分割体を取り外すことで、コネクタ外形を縮減することができ、ワイヤハーネスのコネクタ部のコンパクト化を図ることができる。
【００２１】
上記（２）の構成によれば、第１コネクタ上の嵌合操作レバーは、第２コネクタが第１コネクタの初期嵌合位置に装着されるまでは、レバー係止アームによって、初期位置に仮固定されていて、不用意に回動することがない。従って、作業者が嵌合操作レバーを誤操作で回動させてしまうことがない。
【００２２】
そして、第２コネクタが第１コネクタの初期嵌合位置に装着されると、第２コネクタのメインコネクタ分割体に装備されている係止解除リブによって、レバー係止アームによる仮固定が解除されるため、メインコネクタ分割体のレバー係合部に係合した嵌合操作レバーが回動可能になり、嵌合操作レバーを所定方向に所定角度回動させることで、メインコネクタ分割体及び該メインコネクタ分割体に合体しているサブコネクタ分割体を、第１コネクタの初期嵌合位置から完全嵌合位置に移動させることができる。
従って、第２接続端子と第１コネクタとの嵌合接続を円滑化することができる。
【００２３】
上記（３）の構成によれば、レバー係止アームの状況を目視することで、第２コネクタが第１コネクタの初期嵌合位置に正常に装着されて嵌合操作レバーの仮固定が解除された状態か、あるいは、第２コネクタの前記初期嵌合位置への装着が未完了で嵌合操作レバーの仮固定状態が継続している状態かを、簡単に判別することができる。
【００２４】
従って、作業者は、コネクタ相互の接続時に、第２コネクタの挿入具合を調べずとも、レバー係止アームの状況を目視するだけで簡単に、第２コネクタが第１コネクタの初期嵌合位置に正常に装着されたことを検知して、安心して嵌合操作レバーを回動操作することができ、作業を円滑化することができる。
【発明の効果】
【００２５】
本発明によるレバー嵌合式コネクタによれば、第２コネクタを構成するメインコネクタ分割体とサブコネクタ分割体は合体させて、単一のコネクタとして第１コネクタに装着することができる。そのため、個々のコネクタ分割体を個別に第１コネクタに装着するような面倒な操作が不要である。従って、複数のコネクタ分割体から構成される第２コネクタを第１コネクタに接続する際の手間を軽減することができる。
【００２６】
また、第２コネクタをワイヤハーネスに装備するようにした場合、ワイヤハーネスの芯線数が少ない場合には、例えば、第２コネクタ上の不要なサブコネクタ分割体を取り外すことで、コネクタ外形を縮減することができ、ワイヤハーネスのコネクタ部のコンパクト化を図ることができる。
【図面の簡単な説明】
【００２７】
【図１】本発明に係るレバー嵌合式コネクタの一実施形態の分解斜視図である。
【図２】図１のＢ部の拡大図である。
【図３】図２に示した第１コネクタの側面図である。
【図４】図３のＣ矢視図である。
【図５】図１に示した第２コネクタが第１コネクタの初期嵌合位置の手前まで装着された状態の斜視図である。
【図６】図５に示したレバー嵌合式コネクタの側面図である。
【図７】図６のＤ矢視図である。
【図８】図１に示した第２コネクタが第１コネクタの初期嵌合位置に装着完了した状態の斜視図である。
【図９】図８に示したレバー嵌合式コネクタを別の角度から見た斜視図である。
【図１０】図８に示したレバー嵌合式コネクタの側面図である。
【図１１】図１０のＥ矢視図である。
【図１２】図１に示した第１コネクタと第２コネクタとの嵌合接続が完了した状態の斜視図である。
【図１３】図１２に示したレバー嵌合式コネクタの側面図である。
【図１４】図１３のＦ矢視図である。
【図１５】図１に示したレバー嵌合式コネクタにおいて、第２コネクタをメインコネクタ分割体のみで構成した場合の分解斜視図である。
【図１６】図１５に示したレバー嵌合式コネクタの第１コネクタと第２コネクタとの接続が完了した状態の斜視図である。
【図１７】図１６に示したレバー嵌合式コネクタの側面図である。
【図１８】図１７のＧ矢視図である。
【図１９】従来のレバー嵌合式コネクタの分解斜視図である。
【発明を実施するための形態】
【００２８】
以下、本発明に係るレバー嵌合式コネクタの好適な実施形態について、図面を参照して詳細に説明する。
【００２９】
図１は本発明に係るレバー嵌合式コネクタの一実施形態の分解斜視図、図２は図１のＢ部の拡大図、図３は図２に示した第１コネクタの側面図、図４は図３のＣ矢視図である。
【００３０】
この一実施形態のレバー嵌合式コネクタ１１は、第１コネクタ１３と、第２コネクタ１４と、第１コネクタ１３に回動可能に装備された嵌合操作レバー１５と、を備えている。
【００３１】
本実施形態の場合、第１コネクタ１３は、複数の雄型端子を整列状態に収容する雄端子収容部２１と、第２コネクタ１４が嵌合装着されるフード部２２と、を備えた雄コネクタである。フード部２２は、第２コネクタ１４の外周囲を囲う枠状に形成されている。
【００３２】
第２コネクタ１４は、第１コネクタ１３に収容されている雄型端子に嵌合接続させる雌型端子を整列収容し、前記フード部２２に嵌合装着される雌コネクタである。
【００３３】
第２コネクタ１４は、第１コネクタ１３に対して、初期嵌合位置及び完全嵌合位置に嵌合装着することができる。
【００３４】
ここに、完全嵌合位置とは、第２コネクタ１４が所定長だけ第１コネクタ１３内に挿入された、それぞれのコネクタ内の端子相互の嵌合接続が完了する位置である。
【００３５】
これに対して、初期嵌合位置とは、第２コネクタ１４の第１コネクタ１３への挿入が浅く、それぞれのコネクタ内の端子相互が未嵌合状態になっている位置である。第２コネクタ１４を初期嵌合位置へ装着する挿入操作は、端子相互の嵌合が始まっていないため、小さな操作力で行うことができる。
【００３６】
第２コネクタ１４の初期嵌合位置から完全嵌合位置への移動は、後述する嵌合操作レバー１５の回動により行う。
【００３７】
本実施形態の第２コネクタ１４は、複数のコネクタ分割体３１，３２の合体・分離により収容端子数を調整可能に構成されている。本実施形態の場合、コネクタ分割体３１は、メインコネクタ分割体で、レバー係合部３４を有している。
【００３８】
メインコネクタ分割体３１に設けられたレバー係合部３４は、第２コネクタ１４を第１コネクタ１３の初期嵌合位置に装着したときに、後述する嵌合操作レバー１５のコネクタ引き込み溝４１に係合する突起（ボス部）である。レバー係合部３４は、コネクタ分割体３１の両側面にそれぞれ装備されている。
【００３９】
図５〜図７は、第２コネクタ１４が第１コネクタ１３の初期嵌合位置の手前まで装着された状態を示している。このように第２コネクタ１４の第１コネクタ１３への挿入長が浅く、第２コネクタ１４が初期嵌合位置に到達していない状況では、レバー係合部３４はコネクタ引き込み溝４１に到達しておらず、レバー係合部３４とコネクタ引き込み溝４１の係合状態は得られていない。
【００４０】
図８〜図１１は、第２コネクタ１４が第１コネクタ１３の初期嵌合位置に装着完了した状態を示している。第２コネクタ１４が第１コネクタ１３の初期嵌合位置に到達すると、図示のように、コネクタ引き込み溝４１の始端４１ａ側にレバー係合部３４が係合した状態になる。
【００４１】
コネクタ引き込み溝４１にレバー係合部３４が係合している状態で、嵌合操作レバー１５を所定方向に所定角度回動させると、第２コネクタ１４を初期嵌合位置から完全嵌合位置に移動させることができる。
【００４２】
コネクタ分割体３２は、図１に示すように、不図示の係合構造（一部は、図１５に示されている）によりメインコネクタ分割体３１に合体されて、メインコネクタ分割体３１と一緒に初期嵌合位置から完全嵌合位置に移動するサブコネクタ分割体３２である。
【００４３】
サブコネクタ分割体３２の場合は、嵌合操作レバー１５に係合するレバー係合部３４は有しておらず、メインコネクタ分割体３１に合体させた形態で、第１コネクタ１３に嵌合装着される。
【００４４】
本実施形態の場合、サブコネクタ分割体３２は、その下面をメインコネクタ分割体３１の上面に密着させた状態に、メインコネクタ分割体３１に合体させられる。サブコネクタ分割体３２の下面、及びメインコネクタ分割体３１の上面には、これらのコネクタ分割体相互を結合・合体させるための係合構造が設けられている。
【００４５】
なお、後述する図１５には、サブコネクタ分割体３２を結合・合体させるためにメインコネクタ分割体３１の上面に設けられた係合構造３５が示されている。
【００４６】
嵌合操作レバー１５は、第１コネクタ１３の両側面に設定された枢軸部２４に回動可能に装備されている。嵌合操作レバー１５は、図８〜図１１に示すように、第２コネクタ１４が第１コネクタ１３の初期嵌合位置に装着されている状態で枢軸部２４を中心に所定方向（図１０の矢印Ｘ１方向）に所定角度回動させると、コネクタ引き込み溝４１によって第２コネクタ１４を初期嵌合位置から完全嵌合位置に移動させる。
【００４７】
本実施形態の場合、図１に示すように、嵌合操作レバー１５にはレバー係止アーム５１が設けられ、第２コネクタ１４のコネクタ分割体３１には係止解除リブ３６が設けられている。
【００４８】
レバー係止アーム５１は、図２及び図７に示すように、先端５１ａが第１コネクタ１３のフード部２２の前端面２２ａの前に突出するように、嵌合操作レバー１５の側壁１５ａに一体形成されている。このレバー係止アーム５１は、図２に示すように、先端５１ａの内側に形成された段差５２をフード部２２の前端面２２ａに係合することで、第１コネクタ１３に回動可能に装着された嵌合操作レバー１５を、初期位置に仮固定する。
【００４９】
ここに、初期位置とは、第１コネクタ１３の初期嵌合位置に装着されるメインコネクタ分割体３１上のレバー係合部３４と嵌合操作レバー１５上のコネクタ引き込み溝４１の始端４１ａとが係合可能な位置である。
【００５０】
また、仮固定とは、嵌合操作レバー１５が、枢軸部２４を回動中心として図１及び図６の矢印Ｘ２方向に回動不可の状態（固定状態）にすることを意味する。
【００５１】
係止解除リブ３６は、メインコネクタ分割体３１の両側面に一体形成されている。また、第１コネクタ１３のフード部２２には、図２に示すように、係止解除リブ３６が挿通可能な切欠部２６が形成されている。
【００５２】
係止解除リブ３６は、メインコネクタ分割体３１が第１コネクタ１３の初期嵌合位置に装着されたときに、図２に示した切欠部２６を挿通して、レバー係止アーム５１の先端５１ａを外側に押し戻して、段差５２と前端面２２ａとの係合を外す。係止解除リブ３６が段差５２と前端面２２ａとの係合を外すことで、レバー係止アーム５１による嵌合操作レバー１５の仮固定が解除された状態になり、嵌合操作レバー１５が所定方向（図１０の矢印Ｘ１方向）に回動可能になる。
【００５３】
本実施形態の場合、レバー係止アーム５１は、図１にも示すように、作業者が視認し易いように、嵌合操作レバー１５の外側面に露出する位置に設けられている。また、切欠部２６や係止解除リブ３６の装備位置は、レバー係止アーム５１の装備位置に対応して設定されている。
【００５４】
そして、図５と図８とを比較すると明らかなように、レバー係止アーム５１は、係止解除リブ３６による押圧により先端５１ａの位置が変位すると、先端５１ａの撓み変形によって外観形状が変化する。
【００５５】
換言すると、レバー係止アーム５１は、第１コネクタ１３に係合して嵌合操作レバー１５を前記初期位置に仮固定している状態と、第１コネクタ１３との係合が外れて仮固定状態が解除された状態とを目視判別可能に、嵌合操作レバー１５に装備されている。
【００５６】
そして、図８〜図１１に示したように嵌合操作レバー１５の仮固定が解除された状態から、図１０の矢印Ｘ１方向に嵌合操作レバー１５を所定角度回動すると、嵌合操作レバー１５の回動に伴って、コネクタ引き込み溝４１がレバー係合部３４をコネクタ引き込み溝４１の終端側に引き込んで、図１２〜図１４に示すように、第２コネクタ１４が第１コネクタ１３の完全嵌合位置に移動して、コネクタ相互の嵌合接続が完了する。
【００５７】
図１５は、図１に示したレバー嵌合式コネクタ１１において、第２コネクタ１４をメインコネクタ分割体３１のみで構成した場合の分解斜視図である。また、図１６は図１５に示したレバー嵌合式コネクタ１１の第１コネクタ１３と第２コネクタと１４の接続が完了した状態の斜視図、図１７は図１６に示したレバー嵌合式コネクタ１１の側面図、図１８は図１７のＧ矢視図である。
【００５８】
本実施形態のレバー嵌合式コネクタ１１では、嵌合操作レバー１５のコネクタ引き込み溝４１に係合させるレバー係合部３４や、嵌合操作レバー１５の仮固定状態を解除するための係止解除リブ３６は、いずれも、コネクタ分割体３１に装備されている。
【００５９】
従って、第２コネクタ１４に接続するワイヤハーネスの芯線数が少ない場合等では、第２コネクタ１４はサブコネクタ分割体３２を取り外して、メインコネクタ分割体３１のみの形態で利用するようにしても、コネクタ相互の接続に支障は生じない。
【００６０】
そして、ワイヤハーネスに接続するコネクタをメインコネクタ分割体３１のみにすることで、ワイヤハーネスのコネクタ部のコンパクト化を図ることができ、ワイヤハーネスの小型化や軽量化、配索性の向上等を図ることが可能になる。
【００６１】
以上に説明した一実施形態のレバー嵌合式コネクタ１１の場合、第２コネクタ１４を構成するメインコネクタ分割体３１とサブコネクタ分割体３２は合体させて、単一のコネクタとして第１コネクタ１３に装着することができる。そのため、個々のコネクタ分割体を個別に第１コネクタに装着するような面倒な操作が不要である。
【００６２】
従って、複数のコネクタ分割体３１，３２から構成される第２コネクタ１４を第１コネクタ１３に接続する際の手間を軽減することができる。
【００６３】
また、第２コネクタ１４をワイヤハーネスに装備するようにした場合、ワイヤハーネスの芯線数が少ない場合には、例えば、図１５に示したように第２コネクタ１４上の不要なサブコネクタ分割体３２を取り外すことで、コネクタ外形を縮減することができ、ワイヤハーネスのコネクタ部のコンパクト化を図ることができる。
【００６４】
また、以上に説明した一実施形態のレバー嵌合式コネクタ１１の場合、レバー係止アーム５１と、係止解除リブ３６とを備えている。そして、レバー係止アーム５１は、第１コネクタ１３に回動可能に装着された嵌合操作レバー１５を、初期嵌合位置に装着されるメインコネクタ分割体３１上のレバー係合部３４と係合可能な初期位置に仮固定する。また、係止解除リブ３６は、メインコネクタ分割体３１に一体形成され、メインコネクタ分割体３１が初期嵌合位置に装着されたときに、レバー係止アーム５１による嵌合操作レバー１５の仮固定を解除して、嵌合操作レバー１５を所定方向に回動可能にする。
【００６５】
そのため、第１コネクタ１３上の嵌合操作レバー１５は、第２コネクタ１４が第１コネクタ１３の初期嵌合位置に装着されるまでは、レバー係止アーム５１によって、初期位置に仮固定されていて、不用意に回動することがない。従って、作業者が嵌合操作レバー１５を誤操作で回動させてしまうことがない。
【００６６】
そして、第２コネクタ１４が第１コネクタ１３の初期嵌合位置に装着されると、第２コネクタ１４のメインコネクタ分割体３１に装備されている係止解除リブ３６によって、レバー係止アーム５１による仮固定が解除されるため、メインコネクタ分割体３１のレバー係合部３４に係合した嵌合操作レバー１５が回動可能になり、嵌合操作レバー１５を所定方向に所定角度回動させることで、メインコネクタ分割体３１及び該メインコネクタ分割体３１に合体しているサブコネクタ分割体３２を、第１コネクタ１３の初期嵌合位置から完全嵌合位置に移動させることができる。従って、第２接続端子と第１コネクタ１３との嵌合接続を円滑化することができる。
【００６７】
また、以上に説明した一実施形態のレバー嵌合式コネクタ１１の場合、レバー係止アーム５１は、嵌合操作レバー１５を初期位置に仮固定している状態と仮固定状態が解除された状態とを目視判別可能に、装備されている。
【００６８】
そのため、作業者は、レバー係止アーム５１の状況を目視することで、第２コネクタ１４が第１コネクタ１３の初期嵌合位置に正常に装着されて嵌合操作レバー１５の仮固定が解除された状態か、あるいは、第２コネクタ１４の前記初期嵌合位置への装着が未完了で嵌合操作レバー１５の仮固定状態が継続している状態かを、簡単に判別することができる。
【００６９】
従って、作業者は、コネクタ相互の接続時に、第２コネクタ１４の挿入具合を調べずとも、レバー係止アーム５１の状況を目視するだけで簡単に、第２コネクタ１４が第１コネクタ１３の初期嵌合位置に正常に装着されたことを検知して、安心して嵌合操作レバー１５を回動操作することができ、作業を円滑化することができる。
【００７０】
なお、本発明のレバー嵌合式コネクタは、前述した実施形態に限定されるものでなく、適宜な変形，改良等が可能である。例えば、前述した実施形態では、第２コネクタは、メインコネクタ分割体とサブコネクタ分割体との２つのコネクタ分割体から構成されているが、第２コネクタを３個以上の複数個のコネクタ分割体から構成されるようにしても良い。
【００７１】
また、前述した各実施形態において例示した形状，寸法，形態，数量，配置箇所等は、本発明の目的を達成できるものであれば、任意であり、前述した各実施形態に限定されない。
【符号の説明】
【００７２】
１１  レバー嵌合式コネクタ
１３  第１コネクタ
１４  第２コネクタ
１５  嵌合操作レバー
２２  フード部
２２ａ  前端面
２４  枢軸部
２６  切欠部
３１  メインコネクタ分割体（コネクタ分割体）
３２  サブコネクタ分割体（コネクタ分割体）
３４  レバー係合部
４１  コネクタ引き込み溝
４１ａ  始端
５１  レバー係止アーム
５１ａ  先端
５２  段差
【図１】
2012003926.tif 000003
【図２】
2012003926.tif 000004
【図３】
2012003926.tif 000005
【図４】
2012003926.tif 000006
【図５】
2012003926.tif 000007
【図６】
2012003926.tif 000008
【図７】
2012003926.tif 000009
【図８】
2012003926.tif 000010
【図９】
2012003926.tif 000011
【図１０】
2012003926.tif 000012
【図１１】
2012003926.tif 000013
【図１２】
2012003926.tif 000014
【図１３】
2012003926.tif 000015
【図１４】
2012003926.tif 000016
【図１５】
2012003926.tif 000017
【図１６】
2012003926.tif 000018
【図１７】
2012003926.tif 000019
【図１８】
2012003926.tif 000020
【図１９】
2012003926.tif 000021